(57)【要約】【課題】低温下であっても複雑な制御を行わずに、画像品位を低下することなく表示できる技術の実現。【解決手段】画像データを表示する表示手段と、前記表示手段に表示するための画像処理を行う画像処理手段と、前記表示手段又はその近傍の温度を検出する温度検出手段と、前記温度検出手段による検出温度に関わらず一定の周期で、前記画像処理手段から出力される画像データをフレーム単位で一時的に記憶する記憶手段と、前記温度検出手段による検出温度に関わらず一定の周期で、前記記憶手段から前記表示手段へ出力される画像データを制御する表示制御手段とを有し、前記温度検出手段による検出温度が所定値以下となった場合には、前記記憶手段は前記画像処理手段からフレーム単位で連続的に出力される画像データを間欠的に記憶するとともに、前記表示制御手段は前記記憶した画像データを前記表示手段に繰り返し出力する。【選択図】図１
2009069311.tif 000002
【特許請求の範囲】
【請求項１】
画像データを表示する表示手段と、
前記表示手段に表示するための画像処理を行う画像処理手段と、
前記表示手段又はその近傍の温度を検出する温度検出手段と、
前記温度検出手段による検出温度に関わらず一定の周期で、前記画像処理手段から出力される画像データをフレーム単位で一時的に記憶する記憶手段と、
前記温度検出手段による検出温度に関わらず一定の周期で、前記記憶手段から前記表示手段へ出力される画像データを制御する表示制御手段とを有し、
前記温度検出手段による検出温度が所定値以下となった場合には、前記記憶手段は前記画像処理手段からフレーム単位で連続的に出力される画像データを間欠的に記憶するとともに、前記表示制御手段は前記記憶した画像データを前記表示手段に繰り返し出力することを特徴とする画像表示装置。
【請求項２】
前記温度検出手段による検出温度が所定値以下となった場合には、前記温度検出手段による検出温度が低くなるほど、前記記憶手段はより間欠的に画像データを記憶するとともに、前記表示制御手段は前記記憶手段から前記表示手段により多く繰り返し出力することを特徴とする請求項１に記載の画像表示装置。
【請求項３】
前記記憶手段は第１および第２のフレームメモリを有し、前記記憶手段が前記第１のフレームメモリに画像データを記憶している間に、前記表示制御手段は前記第２のフレームメモリに記憶されている画像データを前記表示手段に出力することを特徴とする請求項１または２に記載の画像表示装置。
【請求項４】
前記記憶手段は１つのフレームメモリを有し、前記記憶手段が前記フレームメモリに画像データを記憶している間に、前記表示制御手段は前記画像処理手段から出力される画像データを前記表示手段に出力することを特徴とする請求項１または２に記載の画像表示装置。
【請求項５】
請求項１乃至４のいずれか１項に記載の画像表示装置と、
被写体像を光電変換することにより画像データを得る撮像手段と、を有することを特徴とする撮像装置。
【請求項６】
画像データが格納され、前記撮像装置に着脱可能な記録手段を更に備え、
前記画像処理手段は、前記撮像手段により得られた画像データ又は前記記録手段から読み出した画像データに対して前記表示手段に表示するための画像処理を行うことを特徴とする請求項５に記載の撮像装置。
【請求項７】
前記記録手段に記録された画像データは、所定の時間間隔で連続撮影された画像データを含むことを特徴とする請求項６に記載の撮像装置。
【請求項８】
画像データを表示する表示手段と、
前記表示手段に表示するための画像処理を行う画像処理手段と、
前記表示手段又はその近傍の温度を検出する温度検出手段と、
前記温度検出手段による検出温度に関わらず一定の周期で、前記画像処理手段から出力される画像データをフレーム単位で一時的に記憶する記憶手段と、
前記温度検出手段による検出温度に関わらず一定の周期で、前記記憶手段から前記表示手段へ出力される画像データを制御する表示制御手段とを有する画像表示装置の制御方法であって、
前記温度検出手段による検出温度が所定値以下となった場合に、前記記憶手段によって前記画像処理手段からフレーム単位で連続的に出力される画像データを間欠的に記憶する記憶ステップと、
前記表示制御手段によって前記記憶した画像データを前記表示手段に繰り返し出力する表示制御ステップとを有することを特徴とする画像表示装置の制御方法。
【請求項９】
前記温度検出手段による検出温度が所定値以下となった場合には、前記温度検出手段による検出温度が低くなるほど、前記記憶ステップはより間欠的に画像データを記憶するとともに、前記表示制御ステップは前記記憶手段から前記表示手段により多く繰り返し出力することを特徴とする請求項８に記載の画像表示装置の制御方法。
【発明の詳細な説明】
【技術分野】
【０００１】
本発明は、画像データの表示制御技術に関する。
【背景技術】
【０００２】
液晶表示素子は温度により応答性が変化し低温下で著しく遅くなる傾向がある。例えば、液晶表示素子の応答速度が、表示画像の切り換え速度よりも遅くなる温度環境下で、動画を表示すると１フレームの表示が完了しないうちに次フレーム、次々フレームの書き込みがなされることになって表示がぼやけたように見える。また、点滅する画像を表示した時には、点灯時より低い輝度で点灯を継続しているように見えて、点滅していることが判らなくなる。いずれの場合であっても表示性能が低下してしまう。
【０００３】
カメラ等の持ち運びが比較的容易なものでは−２０℃以下の環境で使用することもあり、１フレームあたりの表示期間に対して応答性が追従することが難しく、連続画像や動画を表示する際には、表示画像がぼやけてみえるなどの不都合が発生することがある。
【０００４】
上述した問題点を改善するために、特許文献１では、低温下で応答性が劣化する液晶表示装置にＮ個あたり１個のフィールドを抜き取って供給し、温度が低下するほどＮを大きくする。そして、取り出された信号を１フィールド単位のメモリにクロック周波数ｆｃで記録し、再生時にはクロック周波数ｆｃ／Ｎで読み出して液晶表示装置に供給し、併せて走査線も１／Ｎ同期とすることが提案されている。
【０００５】
また、特許文献２では、低温による応答性低下により生ずるフリッカーを軽減するために、画像を書き込む走査線の間隔を可変とすることが提案されている。
【特許文献１】特開平０１−２３４８９６号公報
【特許文献２】特開平０６−３０８４５９号公報
【発明の開示】
【発明が解決しようとする課題】
【０００６】
しかしながら、特許文献１では、クロック周波数を可変にして液晶表示装置に供給し、更に走査線数もこれに同期させている。このため、フレームメモリの制御や、表示中の温度変化に応じてクロック周波数を可変とする等の複雑な制御を表示画像への影響を確認しながら行う必要がある。
【０００７】
また、特許文献２では、走査線の間隔を可変にするには、例えば１画面分の画像データから該当する走査線に相当するデータを抜き取り、フレームメモリ上の該当する走査線に相当するデータに上書きした後、表示装置に出力する必要がある。これをフレーム毎に順次行うので制御が複雑となる。
【０００８】
本発明は、上記課題に鑑みてなされ、その目的は、低温下であっても複雑な制御を行わずに、画像品位を低下することなく表示できる技術を実現することである。
【課題を解決するための手段】
【０００９】
上記課題を解決し、目的を達成するために、本発明の画像表示装置は、画像データを表示する表示手段と、前記表示手段に表示するための画像処理を行う画像処理手段と、前記表示手段又はその近傍の温度を検出する温度検出手段と、前記温度検出手段による検出温度に関わらず一定の周期で、前記画像処理手段から出力される画像データをフレーム単位で一時的に記憶する記憶手段と、前記温度検出手段による検出温度に関わらず一定の周期で、前記記憶手段から前記表示手段へ出力される画像データを制御する表示制御手段とを有し、前記温度検出手段による検出温度が所定値以下となった場合には、前記記憶手段は前記画像処理手段からフレーム単位で連続的に出力される画像データを間欠的に記憶するとともに、前記表示制御手段は前記記憶した画像データを前記表示手段に繰り返し出力する。
【００１０】
また、本発明の撮像装置は、上記画像表示装置と、被写体像を光電変換することにより画像データを得る撮像手段と、を有する。
【００１１】
また、本発明の画像表示装置の制御方法は、画像データを表示する表示手段と、前記表示手段に表示するための画像処理を行う画像処理手段と、前記表示手段又はその近傍の温度を検出する温度検出手段と、前記温度検出手段による検出温度に関わらず一定の周期で、前記画像処理手段から出力される画像データをフレーム単位で一時的に記憶する記憶手段と、前記温度検出手段による検出温度に関わらず一定の周期で、前記記憶手段から前記表示手段へ出力される画像データを制御する表示制御手段とを有する画像表示装置の制御方法であって、前記温度検出手段による検出温度が所定値以下となった場合に、前記記憶手段によって前記画像処理手段からフレーム単位で連続的に出力される画像データを間欠的に記憶する記憶ステップと、前記表示制御手段によって前記記憶した画像データを前記表示手段に繰り返し出力する表示制御ステップとを有する。
【発明の効果】
【００１２】
本発明によれば、実時間で連続画像を表示する場合には、少なくとも画像処理部から表示部にわたる系の動作基準クロックの可変制御を行わずに、表示部の温度と応答性の関係に応じて同一画像を繰り返し表示した後に表示画像を切り換える。これにより、表示部の温度による応答性遅れに起因する表示画像の画質低下を軽減し、静止画のみを扱っていた装置であっても容易に動画が扱えるようになる。
【発明を実施するための最良の形態】
【００１３】
以下、本発明に係る一実施形態について図面を参照して詳細に説明する。
【００１４】
尚、以下に説明する実施形態は、本発明の実現手段としての一例であり、本発明が適用される装置の構成や各種条件によって適宜修正又は変更されるべきものであり、本発明は以下の実施形態に限定されるものではない。
【００１５】
［第１の実施形態］
図１は、本発明に係る実施形態の画像表示装置の構成を示すブロック図である。
【００１６】
図１において、１４０は表示制御装置全体の制御を司るマイコンＰＲＳ（以下、マイコン）である。１４１は撮像部１３で取り込んだ被写体像の電気信号を処理する画像処理部である。６は液晶表示器６ａと温度検出器６ｂとを備える画像表示部、９は複数の画像データを保存する不揮発性の記憶デバイスからなる外部記憶装置である。
【００１７】
マイコン１４０は、例えば内部にＣＰＵ（中央演算処理回路）、ＲＡＭ、ＲＯＭ、ＥＥＰＲＯＭ（電気的消去可能プログラマブルＲＯＭ）、入出力ポ−ト等が配置されたワンチップのコンピュ−タである。
【００１８】
マイコン１４０は、ＲＯＭに格納されたシ−ケンスプログラムに従って一連の動作を行う。
【００１９】
撮像部１３はＣＣＤ又はＣＭＯＳエリアセンサ等からなる撮像素子と撮像素子を駆動するセンサ駆動部とを有し、不図示の光学系を通じて被写体像の光束を撮像素子に結像させる。撮像素子は被写体像を光電変換して電気信号として画像処理部１４１へ出力する。
【００２０】
画像処理部１４１はＡ／Ｄ変換機能を備え、撮像部１３からの電気信号をデジタル信号に変換した後、ローパスフィルタによりノイズ成分を除去し、画素及び色補間処理、ホワイトバランスやガンマ補正等の画像データ生成に関する一連の画像処理を行う。更に、画像処理部１４１は、画像データを画像表示部６で表示可能な解像度に変換した後、メモリ１４２へ出力する。
【００２１】
メモリ１４２はフレームメモリ１（第１のフレームメモリ）、フレームメモリ２（第２のフレームメモリ）の２つのフレームメモリと、ＳＷＭＩＮ、ＳＷＭＯＵＴの２つのスイッチとを備える。
【００２２】
フレームメモリ１及びフレームメモリ２はいずれも、画像表示部６に表示する１画面分（フレーム単位）の画像データを書き込み可能である。
【００２３】
スイッチＳＷＭＩＮは画像処理部１４１から出力される画像データをフレームメモリ１又はフレームメモリ２のいずれかへ書き込むように切り替え動作を行う。
【００２４】
スイッチＳＷＭＯＵＴはフレームメモリ１又はフレームメモリ２のいずれかから画像表示部６へフレーム単位の画像データを出力するように切り替え動作を行う。
【００２５】
スイッチＳＷＭＩＮ及びスイッチＳＷＭＯＵＴとフレームメモリ１及びフレームメモリ２とは排他的な接続、即ち同時に同じフレームメモリに接続しないようにメモリコントローラ１４３により切り替え制御される。
【００２６】
画像表示部６はＬＣＤドライバとＬＣＤパネルとバックライトとからなる液晶表示器６ａと、液晶表示器６ａ又はその近傍の温度を検出する温度検出器６ｂとからなり、温度検出器６ｂによる検出温度情報はマイコン１４０に出力される。マイコン１４０は温度検出器６ｂによる検出温度に応じて、画像表示部６で最適な表示が行われるようにメモリ１４２、メモリコントローラ１４３、画像処理部１４１を制御する。
【００２７】
尚、画像処理部１４１からメモリ１４２、メモリ１４２から画像表示部６への画像データの流れは図２で後述する。
【００２８】
画像表示部６には、撮像部１３により撮像された画像データの他に、外部記憶装置９に記憶された画像データや、マイコン１４０の動作状態やカメラの設定情報等が表示可能である。
【００２９】
外部記憶装置９は、例えばＣＦ（登録商標）カード、ＳＤ（登録商標）カードのような複数の画像データが記憶できる不揮発性の記憶デバイスであって、デジタルカメラに対して着脱可能である。
【００３０】
即ち、外部記憶装置９は、カメラ本体に装着した状態で画像処理部１４１から連続して出力される１つ又は複数のフレーム単位の画像データを記憶した後、カメラ本体から取り外される。また、カメラのデータ形式で読み出し可能な別のシステムに装着されて、外部記憶装置９に記憶されたデータの再生や編集、保存を行うことができる。また、カメラに再装着することで、カメラのデータ形式で読み出し可能な画像データであれば、当該画像データを読み出し、画像処理部１４１にて最適な画像処理を行い、メモリ１４２を経由して画像表示部６に表示することができる。
【００３１】
[メモリの動作]
次に、図２及び図３を参照して、メモリ１４２の動作について説明する。
【００３２】
図２は温度検出器６ｂによる検出温度が２５℃の場合のメモリ１４２の動作例を示しており、画像処理部１４１からメモリ１４２へは画像データが画像１、画像２、画像３と順次出力される。ここで画像１、画像２は画像表示部６に表示するフレーム単位の画像データである。
【００３３】
画像処理部１４１から出力された画像データはスイッチＳＷＭＩＮにより接続されるフレームメモリに順次書き込まれる。画像１はフレームメモリ１に、画像２はフレームメモリ２というように奇数番目の画像データはフレームメモリ１に、偶数番目の画像データはフレームメモリ２にそれぞれ書き込まれる。
【００３４】
一方、スイッチＳＷＭＯＵＴはフレームメモリ１に画像データ１の書き込みが完了し、スイッチＳＷＭＩＮがフレームメモリ２へ接続を切り換える同時に、フレームメモリ１へ接続される。そして、画像データ２のフレームメモリ２への書き込み開始と同時に、フレームメモリ１に書き込まれた画像データが画像表示部６へ出力される。
【００３５】
画像表示部６ではフレームメモリ１から画像データが出力されると、ＬＣＤドライバによりＬＣＤパネルを駆動するための信号処理を行い、ＬＣＤパネルに画像データを表示する。
【００３６】
フレームメモリ１に書き込まれた画像データが画像表示部６へ出力されると同時に、フレームメモリ２への画像データ２の書き込みが完了する。更に、これと並行してスイッチＳＷＭＩＮの接続をフレームメモリ２からフレームメモリ１に切り換え、スイッチＳＷＭＯＵＴの接続をフレームメモリ１からフレームメモリ２へ切り換える。
【００３７】
そして、画像データ２の画像表示部６への出力と、画像データ３のフレームメモリ１への書き込みが開始される。
【００３８】
このように、上述のフレームメモリ１とフレームメモリ２への画像データの書き込み及び読み出しを交互に行うことで、画像処理部１４１からの出力に対して１フレーム分遅れた画像データが画像表示部６に表示される。
【００３９】
ここで画像処理部１４１からメモリ１４２に出力される画像データが同じ内容であれば、フレーム単位で連続動作しているにも関わらず、画像表示部６の表示画像は固定された内容となる。
【００４０】
不図示であるが、画像表示部６の表示開始時、即ち点灯時の動作は、画像１がＬＣＤパネルに表示されたところでバックライトが点灯し、表示内容が視認できるようマイコン１４０にて制御される。
【００４１】
図３は、温度検出器６ｂによる検出温度が所定値以下となる０℃の場合と、−８℃の場合のメモリ１４２の書き込み／読み出し動作タイミングを例示している。
【００４２】
先ず、０℃の場合には、画像処理部１４１から出力される画像データは図２と同様に画像１、画像２、画像３と順次フレーム単位で出力される。そして、画像１がフレームメモリ１に書き込み完了と同時に、フレームメモリ１から画像表示部６へ出力が開始される。
【００４３】
フレームメモリ２には画像４が書き込まれる。フレームメモリ２へ画像４が書き込みが完了するまでの間、即ち画像２，３の表示に相当する期間は、フレームメモリ１から画像１を繰り返して読み出し、画像表示部６に表示する。すなわち、画像１がフレームメモリ１に書き込まれた後、フレームメモリ２には画像４が書き込まれ、画像２、３はフレームメモリ１にもフレームメモリ２にも書き込まれない。言い換えるとフレームメモリ１および２への画像の書き込み動作が間欠的に行われることとなる。
【００４４】
フレームメモリ２へ画像４の書き込みが完了すると同時にスイッチＳＷＭＯＵＴが切り換わり、画像４が画像表示部６に出力され、表示画像が画像１から画像４へ切り換わる。従って、温度検出器６ｂによる検出温度が０℃の場合には、１つの画像データを３フレーム期間繰り返し表示することになる。すなわち、周期を表す１フレーム期間は温度検出器６ｂによる検出温度に関わらず一定であるために、２５℃の状態で画像２、画像３を表示していたフレーム期間では画像１の表示を繰り返している。
【００４５】
一方、−８℃の場合には、フレームメモリ１及びフレームメモリ２への書き込み動作は省略しているが、０℃の場合と同様にして１つの画像データを複数フレーム期間繰り返し表示するものである。
【００４６】
−８℃では、０℃時の３フレーム期間に対して、５フレーム期間として繰り返し期間が長くなっている（つまり、温度が低くなるほど、画像データをより多く繰り返し出力する）。即ち、フレームメモリ１に画像１が書き込みが完了すると同時にスイッチＳＷＭＯＵＴを切り換えて画像表示部６に出力する。これを５フレーム期間繰り返し行い、画像６のフレームメモリ２への書き込みが完了したところでスイッチＳＷＭＯＵＴを切り換えて画像表示部６の表示画像を画像１から画像６に切り換える。
【００４７】
図４は温度検出器による検出温度と上記繰り返し表示期間を例示している。ここでは、７つの設定１〜７があり、検出温度に応じた繰り返し表示期間をフレーム単位で示している。
【００４８】
７つの設定はＬＣＤパネルの温度と応答性（応答時間や応答速度）から決定され、低温であるほど応答性が低下する傾向にある。図１に示した画像処理装置は、図４の設定に基づいて動作する。
【００４９】
このように、画像表示部６の検出温度に応じた表示画像の切り換えは、少なくとも画像処理部１４１から画像表示部６にわたる系の動作基準クロックを固定したままで一連の制御を行うことができる。これによって、動作基準クロックを可変するときに生ずる複雑な制御を行うことなく、表示画像の温度による画質低下を軽減することができる。また、これまで静止画のみを扱っていたシステムで動画を扱うことも容易となる。
【００５０】
［第２の実施形態］
図１のように２つのフレームメモリ１，２を切り換えた第１の実施形態に対して、第２の実施形態は１つのフレームメモリを使用する構成である。
【００５１】
ブロック構成は、図１とほぼ同じであり、メモリ１４２が１つのフレームメモリに変更された以外は図１とほぼ同様である。
【００５２】
図５は、第２の実施形態のメモリの書き込み／読み出し動作であって、画像処理部１４１から出力された画像データが画像表示部６に表示される状態を示している。スイッチＳＷＭＯＵＴは画像処理部１４１からの画像データが画像表示部６に直接出力されるように接続が切り換わる。
【００５３】
スイッチＳＷＭＩＮは数フレームに１回の割合で画像表示部６に表示した画像を切り換えるときにフレームメモリに画像データを書き込みできるよう切り換わる。
【００５４】
フレームメモリからみてスイッチＳＷＭＩＮとスイッチＳＷＭＯＵＴは排他的動作であり、画像処理部１４１から出力される画像データのフレームメモリへの書き込みと、フレームメモリからの画像データの読み出しとが同時になされることはない。
【００５５】
画像表示部６に表示した画像を切り換えるときの詳細は、図７を参照して後述する。
【００５６】
図６は、第２の実施形態のメモリの書き込み／読み出し動作であって、フレームメモリに書き込まれた画像データをスイッチＳＷＭＯＵＴを介して画像表示部６に出力するときの状態を示している。この場合には、スイッチＳＷＭＩＮはオープンとなっており、画像処理部１４１からの出力はフレームメモリに書き込まれない状態である。また、スイッチＳＷＭＯＵＴはフレームメモリと接続し、画像処理部１４１とは非接続となるので、画像処理部１４１から画像表示部６へ画像データは出力されない。
【００５７】
図７は、温度検出器６ｂにより検出された検出温度が０℃であって、画像表示部６のＬＣＤパネルの検出温度と応答性との関係が図４に示す内容であったときの、画像表示部６の表示画像とメモリ１４２の動作タイミングとの関係を例示している。
【００５８】
第１の実施形態では、画像処理部１４１から出力されるフレーム単位の画像データが一時的にフレームメモリに書き込まれるので、１フレーム期間遅れて画像表示部６に出力されていた。これに対して、本実施形態では画像処理部１４１からの出力と略同期して画像表示部６に出力するものである。
【００５９】
画像処理部１４１から画像データが、画像１、画像２、画像３という内容で順次出力される。
【００６０】
画像処理部１４１から出力される画像データは、画像１がメモリ１４２のＳＷＭＩＮを介してフレームメモリに書き込みを開始すると共に、スイッチＳＷＭＯＵＴを介して画像表示部６に出力される。このとき、画像１の画像表示部６への出力とフレームメモリへの書き込みとを並行して行っている。
【００６１】
フレームメモリへの画像１の書き込みが完了すると、スイッチＳＷＭＯＵＴは接続を切り換えてフレームメモリと接続する。これと並行してスイッチＳＷＭＩＮは、フレームメモリとの接続を切断しオープンとなる。スイッチＳＷＭＯＵＴとスイッチＳＷＭＩＮが上記のように切り換えられると、フレームメモリに書き込まれた画像１がスイッチＳＷＭＯＵＴを介して画像表示部６に出力される。そして、フレームメモリから画像表示部６への画像１の出力を２フレーム期間繰り返し行う。
【００６２】
２フレーム期間繰り返した後、スイッチＳＷＭＯＵＴは画像処理部１４１に接続を切り換えて、画像処理部１４１から画像４が画像表示部６に出力される状態となる。また、スイッチＳＷＭＩＮもフレームメモリに接続を切り換えて画像処理部１４１から出力される画像４がフレームメモリに書き込まれる状態となる。スイッチＳＷＭＩＮとスイッチＳＷＭＯＵＴが上記のように切り換えられると、画像４の画像表示部６への出力とフレームメモリへの書き込みが開始される。
【００６３】
以降、画像１と同様な動作で画像４の表示が完了すると、同様な手順で画像７の表示に向けた動作が行われる。尚、上述した動作は検出温度が０℃の場合であるから、図４に従った内容であれば、同一画像を３フレーム期間繰り返して表示する動作となる。
【００６４】
また、図４によれば、検出温度が３０℃の場合には、画像処理部１４１からの画像データの表示期間は１フレーム、即ち同一の画像データの繰り返し表示は行わず、フレームメモリへの書き込みは行わずに画像処理部１４１から画像表示部６に直接出力される。
【００６５】
このように、撮像部１３から出力される画像情報の大きさもによるが、第２の実施形態では符号化処理をなくすことにより、例えば回転処理された画像を劣化させることなく外部記憶装置９へ送ることができる。
【００６６】
［第３の実施形態］
第１の実施形態では、２つのフレームメモリ１，２を切り換えながら、画像処理部１４１から出力される画像データのフレームメモリへの書き込み、即ち画像データの更新を画像表示部６の表示画像を切り換える際に行っていた。
【００６７】
これに対して、第３の実施形態では、第１の実施形態と同様に２つのフレームメモリを有する構成で、画像処理部１４１からメモリ１４２への画像データの出力を、画像表示部６の表示画像を切り換えるときにのみ行うものである。
【００６８】
図８は、温度検出器６ｂにより検出された検出温度が０℃であって、画像表示部６のＬＣＤパネルの検出温度と応答性との関係が図４に示す内容であったときの、画像表示部６の表示画像とメモリ１４２の動作他ミングとの関係を例示している。
【００６９】
撮像部１３からは画像１、画像２、画像３に対応する電気信号が順次出力され、画像処理部１４１は撮像部１３から出力される電気信号に対して一連の画像処理を行う。温度検出器６ｂによる検出温度が０℃の場合には、図４に示すＬＣＤパネルの検出温度と応答性の関係から同一の画像データを３回繰り返して表示する。ここで、画像処理部１４１からメモリ１４２への画像１の出力が完了すると、２フレーム期間出力を休止した後、画像４を出力する。
【００７０】
画像処理部１４１から出力された画像１がフレームメモリ１への書き込みが完了すると、画像表示部６への出力を開始する。フレームメモリ１から画像表示部６への画像データの出力を３フレーム期間繰り返し行ったところで、フレームメモリ２への画像４の書き込みを完了する。続いて、メモリ１４２から画像表示部６への画像データの出力をフレームメモリ１からフレームメモリ２へ切り換えることで、画像表示部６の表示画像が画像１から画像４へ切り換わる。
【００７１】
フレームメモリ１及びフレームメモリ２への画像データの書き込み等の一連の動作内容とスイッチＳＷＭＩＮ及びスイッチＳＷＭＯＵＴの動作については、第１の実施形態と同様であるのでここでの説明を省略する。
【００７２】
このように、画像処理部１４１からメモリ１４２への画像データの出力を、画像表示部６の表示画像の切り換え時のみ、即ちフレームメモリへの書き込み時のみ行うことで、不要な動作をなくし、消費電力を低減することができる。これにより、特に低温下で電源として電池を使用している場合には表示画像の画質低下の軽減と併せて大きな効果が得られる。
【００７３】
［第４の実施形態］
上記各実施形態は、いずれも撮像部１３により取り込まれた画像を画像表示部６にて表示するものであった。
【００７４】
以下では、第４の実施形態として、図１に示す外部記憶装置９に格納された画像データを画像表示部６に表示する動作について説明する。
【００７５】
外部記憶装置９には、画像処理部１４１にて最適な画像処理を行うことで画像表示部６で表示可能な１つ又は複数の画像データが格納されている。
【００７６】
外部記憶装置９に格納された画像データとしては、静止画及び所定の時間間隔での高速連写により擬似的に実現できる連続撮影画像、更には高速連写より短い一定間隔で連続に画像を撮影することで実現する動画が含まれる。
【００７７】
外部記憶装置９に格納された画像データの画像表示部６への表示は、ユーザが不図示のスイッチ操作を行うことで実現する。その際、高速連写より短い一定間隔で連続的に画像を撮影することで実現する動画を画像表示部６に表示する際には、例えば図４に示す画像表示部の検出温度と繰り返し表示期間の関係を反映した内容で図２、図３、図８で述べた動作を行う。
【００７８】
一方、静止画及び高速連写により擬似的に実現できる連続撮影画像の画像表示部６への表示は、ユーザの操作部材に対する操作間隔がフレーム期間に対して充分長いので、図４に示す関係は反映させない。たとえ、ユーザの操作部材に対する操作間隔が「早押し」であっても順次動作とする。即ち、ユーザの操作部材に対する操作に応じて外部記憶装置９から画像データを読み出し、画像処理部１４１にて最適な画像処理を行った画像データを、フレームメモリ１又は２に書き込んだ後に画像表示部６へ出力する。そして、操作部材の操作に応じた次回の表示画像の切り換えのために、ユーザの操作部材の操作がなされるまでは、同一の画像データをフレームメモリ１又は２から画像表示部６へ繰り返して出力する。
【００７９】
図１、図２、図３、図５、図８については前述した通りであるので、ここでの説明は省略する。
【００８０】
このように、外部記憶装置９に格納された画像データの再生時においても、画像データに応じて画像表示部６へ表示するための一連の動作を選択的に行い、動画再生時にはそれに適した表示制御で表示画像の品位低下を軽減することができる。
【００８１】
［変形例］
本発明は、デジタルカメラに限らず、カメラ以外の光学機器や他の装置などの表示部であれば適用できる。また、ＬＣＤパネルに限らず、検出温度により影響を受けて表示品位の低下を生ずる表示デバイスであれば適用できる。また、フレームメモリがＦＩＦＯによるものであっても適用できる。
【００８２】
また、画像表示部６への表示画像の切り換え間隔は、図４に示す検出温度と応答性の関係に限られず、他の条件であっても良いことは言うまでもない。
【００８３】
［他の実施形態］
本発明の目的は次のような方法によっても達成される。即ち、前述した実施形態の機能を実現するソフトウェアのプログラムコードを記録した記憶媒体（又は記録媒体）を、システムあるいは装置に供給する。そして、そのシステムあるいは装置のコンピュータ（又はＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。即ち、プログラムコードの指示に基づき、コンピュータ上で稼働しているオペレーティングシステム（ＯＳ）などが実際の処理の一部又は全部を行い、その処理によって前述した実施形態の機能が実現される。
【００８４】
更に、次のような場合も本発明に含まれる。即ち、記憶媒体から読み出されたプログラムコードが、コンピュータに挿入された機能拡張カードやコンピュータに接続された機能拡張ユニットに備わるメモリーに書込まれる。その後、そのプログラムコードの指示に基づき、その機能拡張カードや機能拡張ユニットに備わるＣＰＵなどが実際の処理の一部又は全部を行い、その処理によって前述した実施形態の機能が実現される。本発明を上記記憶媒体に適用する場合、その記憶媒体には、先に説明した手順に対応するプログラムコードが格納されることになる。
【図面の簡単な説明】
【００８５】
【図１】本発明に係る実施形態の画像表示装置の構成を示すブロック図である。
【図２】第１の実施形態の画像処理部からメモリへの出力画像とメモリの動作との関係を示すタイミングチャートである。
【図３】第１の実施形態の画像処理部からメモリへの出力画像とメモリの動作との関係を示すタイミングチャートである。
【図４】第１の実施形態の画像表示部の温度と同一の画像データを繰り返して出力する期間との関係を示す図である。
【図５】第２の実施形態のメモリの動作を示す図である。
【図６】第２の実施形態のメモリの動作を示す図である。
【図７】第２の実施形態の画像処理部からメモリへの出力画像とメモリの動作との関係を示すタイミングチャートである。
【図８】第３の実施形態の画像処理部からメモリへの出力画像とメモリの動作との関係を示すタイミングチャートである。
【符号の説明】
【００８６】
６  画像表示部
９  外部記憶装置
１３  撮像部
１４０  マイコンＰＲＳ
１４１  画像処理部
１４２  メモリ
【図１】
2009069311.tif 000003
【図２】
2009069311.tif 000004
【図３】
2009069311.tif 000005
【図４】
2009069311.tif 000006
【図５】
2009069311.tif 000007
【図６】
2009069311.tif 000008
【図７】
2009069311.tif 000009
【図８】
2009069311.tif 000010